(57)【要約】【課題】衛生管理のための洗浄、拭き取り等の清掃作業を行いやすく、操作が行いやすい操作用ノブを提供する。【解決手段】操作用ノブ１０は、握り部２４には、周方向に複数の指掛け部２６が相互に離間して配置されるように径方向へコブ状に膨出して形成されている。相互に隣接する指掛け部２６の間は、軸心と直交する断面の形状が凹曲線となる連結面２８を介して連結されている。握り部２４の基端側には、複数の指掛け部２６と連結面２８にそれぞれ無段差で連結された断面円形の円筒部２０の周面を有する。【選択図】図２
0003211103.tif 000002
【実用新案登録請求の範囲】
【請求項１】
握り部と、該握り部の基端面に軸心方向に沿って延びる取付孔とを備えた操作用ノブであって、
前記握り部には、周方向に複数の指掛け部が相互に離間して配置されるように径方向へコブ状に膨出して凸曲面を有するように形成され、
相互に隣接する前記指掛け部の間は、軸心と直交する断面の形状が凹曲線となる連結面を介して連結されており、
前記握り部の基端側には、前記複数の指掛け部と前記連結面にそれぞれ無段差で連結された断面円形の周面を有する操作用ノブ。
【請求項２】
前記握り部の周面が、前記軸心方向において、基端から先端に向かって順に第１領域、第２領域及び第３領域を有し、
第１領域の周面が前記断面円形をなし、
第２領域の前記連結面及び前記指掛け部を含む周面は、軸心を含むように軸心方向に沿った断面の形状では第３領域側が膨らむようにＳ字状をなして第１領域及び第３領域の各周面とは無段差で接続されるとともに前記軸心と直交する断面の形状では、複数の周期で凹曲線と凸曲線を交互に有しており、
第３領域の前記連結面及び前記指掛け部を含む周面は、軸心を含むように軸心方向に沿った断面の形状では放物線状をなしていて、軸心方向の先端側に行くほどその径が小さくなるように形成されているとともに、前記軸心と直交する断面の形状では、前記複数の周期と同一周期で凹曲線と凸曲線を交互に有する部位を含み、
前記第２領域及び第３領域の凸曲線を有する周面で前記凸曲面を有する指掛け部が形成されている請求項１に記載の操作用ノブ。
【請求項３】
前記取付孔は、雌ネジ孔またはリーマ孔である請求項１または請求項２に記載の操作用ノブ。
【請求項４】
前記取付孔には操作軸が取付け固定されている請求項１乃至請求項３のうちいずれか１項に記載の操作用ノブ。
【考案の詳細な説明】
【技術分野】
【０００１】
本考案は、操作用ノブに関する。
【背景技術】
【０００２】
操作用ノブは、操作軸に対して取付けられる握り部を有しており、使用する場合には、作業者が該握り部を手で握った状態で操作用ノブを介して操作軸を回転操作する。
また、操作軸に大きな力を付与する操作用ノブでは、前記握り部の周面には、複数の指掛け部が所定ピッチで配置されていることが多い（特許文献１，特許文献２参照）。
【先行技術文献】
【特許文献】
【０００３】
【特許文献１】実公平７−２５０７４号公報
【特許文献２】特開２００６−３１１９１９号公報
【考案の概要】
【考案が解決しようとする課題】
【０００４】
ところで、病院等の医療関係の職場、或いは医薬品製造工場や食品製造工場等のように衛生管理が行われている作業場では、該操作用ノブに対して洗浄、拭き取り等の清掃作業が行われていることが多い。
【０００５】
ところが、特許文献１、特許文献２で提案されている操作用ノブを衛生管理が行われる作業環境で使用する場合は、握り部の周面や、指掛け部の裏面（すなわち、作業者側に向く面とは反対側の面）には、滑り止め凹部等の雑菌や異物がたまりやすい凹部があるため、このままでは裏面側をきれいに洗浄できない問題がある。操作用ノブを操作軸から取外して洗浄することも考えられるが、この場合は、操作用ノブの操作軸からの取り外し作業及び再取付け作業が必要となり、手間が掛かる問題がある。
【０００６】
また、操作用ノブは、使用時に指掛け部の裏面側が必ずしも下向きになるとは限らず、裏面側が上、横或いは斜めを向いて使用される場合も少なくない。このため、特に、裏面側に上を向く場合、裏面側に凹部があると、雑菌や異物或いは洗浄後の洗浄液が溜まりやすくなる。
【０００７】
また、病院等の医療関係の職場、或いは医薬品製造工場や食品製造工場では衛生面の観点から、作業現場では、手袋の着用が求められており、この手袋を着用した状態で、操作用ノブを操作することも行われている。状況によっては、前記手袋は厚めのものが要求されていることもある。厚めの手袋を着用して操作用ノブを操作する場合には、該操作用ノブに力を加えにくいことが知られている。この場合、操作用ノブに力を加えやすいように単にその凹凸の形状を大きくしても洗浄等の清掃作業が悪くなる。
【０００８】
本考案の目的は、上記課題を解決して、衛生管理のための洗浄、拭き取り等の清掃作業を行いやすく、操作が行いやすい操作用ノブを提供することにある。
【課題を解決するための手段】
【０００９】
上記問題点を解決するために、本考案の操作用ノブは、握り部と、該握り部の基端面に軸心方向に沿って延びる取付孔とを備えた操作用ノブであって、前記握り部には、周方向に複数の指掛け部が相互に離間して配置されるように径方向へコブ状に膨出して凸曲面を有するように形成され、相互に隣接する前記指掛け部の間は、軸心と直交する断面の形状が凹曲線となる連結面を介して連結されており、前記握り部の基端側には、前記複数の指掛け部と前記連結面にそれぞれ無段差で連結された断面円形の周面を有するものである。
【００１０】
また、前記握り部の周面が、前記軸心方向において、基端から先端に向かって順に第１領域、第２領域及び第３領域を有し、第１領域の周面が前記断面円形をなし、第２領域の前記連結面及び前記指掛け部を含む周面は、軸心を含むように軸心方向に沿った断面の形状では第３領域側が膨らむようにＳ字状をなして第１領域及び第３領域の各周面とは無段差で接続されるとともに前記軸心と直交する断面の形状では、複数の周期で凹曲線と凸曲線を交互に有しており、第３領域の前記連結面及び前記指掛け部を含む周面は、軸心を含むように軸心方向に沿った断面の形状では放物線状をなしていて、軸心方向の先端側に行くほどその径が小さくなるように形成されているとともに、前記軸心と直交する断面の形状では、前記複数の周期と同一周期で凹曲線と凸曲線を交互に有する部位を含み、前記第２領域及び第３領域の凸曲線を有する周面で前記凸曲面を有する指掛け部が形成されているものとしてもよい。
【００１１】
また、前記取付孔は、雌ネジ孔またはリーマ孔としてもよい。
また、前記取付孔には操作軸が取付け固定されていてもよい。
【考案の効果】
【００１２】
本考案の操作用ノブによれば、衛生管理のための洗浄、拭き取り等の清掃作業を行いやすく、操作が行いやすい効果がある。
【図面の簡単な説明】
【００１３】
【図１】第１実施形態の操作用ノブの正面及び平面側からの斜視図。
【図２】第１実施形態の操作用ノブの背面及び底面側からの斜視図。
【図３】（ａ）は第１実施形態の操作用ノブの正面図、（ｂ）は、第１実施形態の操作用ノブの右側面図。
【図４】第１実施形態の操作用ノブの平面図。
【図５】図３（ａ）のＡ−Ａ線断面図。
【図６】図４のＢ−Ｂ線断面図。
【図７】第２実施形態の操作用ノブの正面及び平面側からの斜視図。
【図８】第２実施形態の操作用ノブの背面及び底面側からの斜視図。
【図９】第２実施形態の操作用ノブの正面図。
【図１０】第２実施形態の操作用ノブの平面図。
【図１１】図９のＤ−Ｄ線断面図。
【図１２】図９のＥ−Ｅ線断面図。
【図１３】図１０のＦ−Ｆ線断面図。
【考案を実施するための形態】
【００１４】
（第１実施形態）
図１、図２、図３（ａ）、図３（ｂ）、図４、図５及び図６を参照して、以下、本考案を具体化した第１実施形態の操作用ノブを説明する。図６に示すように、操作用ノブ１０は、ステンレス、或いはアルミ等の金属製であって、軸心方向において、基端から先端に向かって順に第１領域Ｐ１、第２領域Ｐ２及び第３領域Ｐ３を有している。
【００１５】
第１領域Ｐ１では、軸心Ｏを中心とした半径Ｒ１を有する円筒部２０となっており、その周面は、軸心Ｏと直交する断面は断面円形をなしているとともに、基端面２１には、軸心Ｏと同軸の取付孔２２が穿設されている。本実施形態では、取付孔２２は、止まり穴であって、内周面に雌ネジを有する雌ネジ孔としている。
【００１６】
第２領域Ｐ２及び第３領域Ｐ３には、握り部２４が設けられている。握り部２４には、軸心Ｏを中心とした周方向に複数の指掛け部２６が相互に離間して配置されるように径方向へコブ状に膨出して形成されている。本実施形態では指掛け部２６は、同一形状で同じ大きさであって、軸心Ｏを中心とした１２０度間隔で３個配置されている。なお、本実施形態では相互に隣接する指掛け部２６の離間角度は１２０度の等角度としたが、異なっていてもよい。
【００１７】
図５に示すように、相互に隣接する指掛け部２６の間は、軸心Ｏと直交する断面の形状が凹曲線となる連結面２８を有する。連結面２８の詳細は後述する。なお、図５は、図３（ａ）において、軸心Ｏと直交したＡ−Ａ線での断面図である。Ａ−Ａ線は、指掛け部２６の頂部（すなわち、軸心Ｏから最長で離間している部位）よりも基端側に寄った位置に位置する。また、図５中、二点鎖線は、図６の軸心Ｏと直交するＣ−Ｃ線で断面を取ったときの操作用ノブ１０の外形を示している。Ｃ−Ｃ線は、第２領域Ｐ２と第３領域Ｐ３の境界の位置に位置する。
【００１８】
図６に示すように、第２領域Ｐ２の連結面２８及び指掛け部２６を含む周面は、軸心Ｏを含むように軸心方向に沿った断面の形状では第３領域Ｐ３側が膨らむようにＳ字状をなしていて、第１領域Ｐ１及び第３領域Ｐ３の各周面とは無段差で接続されている。
【００１９】
また、図５に示すように、第２領域Ｐ２の連結面２８及び第２領域Ｐ２の指掛け部２６を含む周面は、軸心Ｏと直交する断面の形状では、複数の周期で凹曲線と凸曲線を交互に有している。本実施形態では、複数の周期は、３周期である。この周期の数は、２以上であって、手の指の数未満でもよく、或いは手の指の数以上でもよい。
【００２０】
図５の実線で示す図３（ａ）のＡ−Ａ線断面図は、第２領域Ｐ２において断面視したものであり、指掛け部２６を形成する部位は凸曲線で示され、連結面２８の部分は凹曲線で示されている。また、図５の２点鎖線は、第２領域Ｐ２と第３領域Ｐ３の境界の位置に位置するＣ−Ｃ線で断面を取ったとき周面の形状を示しており、この位置においても、同図に示すように、指掛け部２６を形成する部位は凸曲線で示され、連結面２８の部分は凹曲線で示されている。
【００２１】
図６に示すように、第３領域Ｐ３の連結面２８及び指掛け部２６を含む周面は、軸心Ｏを含むように軸心方向に沿った断面の形状では放物線状をなしていて、軸心方向の先端側に行くほどその径が０に向かって収束するようにしている。本実施形態では、軸心方向の先端側に行くほどその径が０に向かって収束するようにしているが、０に収束することに限定するものではなく、軸心方向の先端側に行くほどその径が小さくなっていればよい。
【００２２】
また、第３領域Ｐ３の連結面２８及び指掛け部２６を含む周面は、軸心Ｏと直交する断面の形状では、前記複数の周期と同一周期で凹曲線と凸曲線を交互に有する部位を含むようにしている。上記のようにして、第２領域Ｐ２及び第３領域Ｐ３の凸曲線を有する周面で前記指掛け部２６が形成されている。取付孔２２には、操作軸２９が螺合されている。操作軸２９は、例えば、雄ネジ部材であって、先端（図１の下端）の周部には図示しない雄ネジが刻設されている。
【００２３】
上記のようにして、第２領域Ｐ２及び第３領域Ｐ３には、軸心Ｏと直交する断面の形状では凸曲線を有していて指掛け部２６は凸曲面を有している。
（実施形態の作用）
上記のように構成された操作用ノブ１０では、相互に隣接する指掛け部２６間は、軸心Ｏと直交する断面の形状が凹曲線となる連結面２８を介して連結されており、連結面２８は、さらに、無段差で連結された断面円形の周面を有する円筒部２０に連結されている。このため、操作用ノブ１０を洗浄する際に、洗浄液は溜まることなく連結面２８を介して無段差で連結された円筒部２０の断面円形の周面上をスムーズに流れるため、好適にそれらの表面を洗浄することができる。
【００２４】
また、指掛け部２６の基端側も、無段差で連結された断面円形の周面を有する円筒部２０に連結されている。
このため、操作用ノブ１０を洗浄する際に、洗浄液は溜まることなく、凸曲面を全体に有している指掛け部２６を介して無段差で連結された円筒部２０の断面円形の周面上をスムーズに流れるため、好適にそれらの表面を洗浄することができる。
【００２５】
また、拭き取りを行う場合にも、凸曲面を全体に有している指掛け部２６の基端側を介して、及び連結面２８を介して無段差で連結された円筒部２０の断面円形の周面上をスムーズに拭き取ることができ、好適にそれらの表面の清掃を行うことができる。
【００２６】
また、相互に隣接するコブ状の指掛け部２６間に指を入れることにより厚めの手袋を着用しても、操作時に力が加えやすく、操作が行いやすい効果がある。
本実施形態では、下記の特徴を有する。
【００２７】
（１）本実施形態の操作用ノブ１０は、握り部２４には、周方向に複数の指掛け部２６が相互に離間して配置されるように径方向へコブ状に膨出して凸曲面を有するように形成されている。
【００２８】
また、相互に隣接する指掛け部２６の間は、軸心Ｏと直交する断面の形状が凹曲線となる連結面２８を介して連結されている。また、握り部２４の基端側には、複数の指掛け部２６と連結面２８にそれぞれ無段差で連結された断面円形の円筒部２０の周面を有する。この結果、洗浄液は溜まることなく、連結面２８を介して無段差で連結された円筒部２０の断面円形の周面上をスムーズに流れるため、好適にそれらの表面を洗浄することができる。また、洗浄液は溜まることなく、凸曲面を全体に有している指掛け部２６を介して無段差で連結された円筒部２０の断面円形の周面上をスムーズに流れるため、好適にそれらの表面を洗浄することができる。すなわち、指掛け部２６の裏面（すなわち、作業者側に向く面とは反対側の面）には、雑菌や異物がたまりやすい部位がないため、裏面側をきれいに洗浄や、拭き取り等を行うことができ、この結果、衛生管理のための洗浄、拭き取り等の清掃作業を行いやすい効果がある。また、相互に隣接するコブ状の指掛け部間に指を入れることにより手袋の厚みにかかわらず手袋を着用しても操作が行いやすい効果がある。
【００２９】
また、指掛け部の裏面側の向きが上、下、横、斜め等のいずれの向きであっても、雑菌や異物或いは洗浄後の洗浄液が、溜まることはない。
（２）本実施形態の操作用ノブ１０は、握り部２４の周面が、軸心方向において、基端から先端に向かって順に第１領域Ｐ１、第２領域Ｐ２及び第３領域Ｐ３を有している。そして、第１領域Ｐ１の周面は断面円形をなした円筒部２０を有する。また、第２領域Ｐ２の連結面２８及び指掛け部２６を含む周面は、軸心Ｏを含むように軸心方向に沿った断面の形状では第３領域Ｐ３側が膨らむようにＳ字状をなして第１領域Ｐ１及び第３領域Ｐ３の各周面とは無段差で接続されている。また、第２領域Ｐ２の連結面２８及び指掛け部２６を含む周面は、軸心Ｏと直交する断面の形状では、複数の周期で凹曲線と凸曲線を交互に有している。また、第３領域Ｐ３の連結面２８及び指掛け部２６を含む周面は、軸心Ｏを含むように軸心方向に沿った断面の形状では放物線状をなしていて、軸心方向の先端側に行くほどその径が小さくなるようにしている。また、軸心Ｏと直交する断面の形状では、複数の周期と同一周期で凹曲線と凸曲線を交互に有する部位を含む。そして、第２領域Ｐ２及び第３領域Ｐ３の凸曲線を有する周面で凸曲面を有する指掛け部２６が形成されている。この結果、上記（１）の作用効果を好適に実現することができる。
【００３０】
（第２実施形態）
図７〜図１３を参照して、第２実施形態の操作用ノブ１１０を説明する。
操作用ノブ１１０は、ステンレス、或いはアルミ等の金属製であって、軸心方向において、基端から先端に向かって順に第１領域Ｐ１、第２領域Ｐ２及び第３領域Ｐ３を有している。第１領域Ｐ１では、軸心Ｏを中心とした半径Ｒ１を有する円筒部１２０となっており、その周面は、軸心Ｏと直交する断面は断面円形をなしているとともに、基端面１２１から先端面を貫通する、軸心Ｏと同軸の取付孔１２２が穿設されている。本実施形態では、取付孔１２２は、内周面に雌ネジを有する雌ネジ孔としている。
【００３１】
第２領域Ｐ２及び第３領域Ｐ３には、握り部１２４が設けられている。握り部１２４には、軸心Ｏを中心とした周方向に４つの指掛け部１２６が相互に離間して配置されるように径方向へコブ状に膨出して形成されている。本実施形態では指掛け部１２６は、同一形状で同じ大きさであって、軸心Ｏを中心とした９０度間隔で４個配置されている。
【００３２】
図１０、図１２に示すように、相互に隣接する指掛け部１２６の間は、軸心Ｏと直交する断面の形状が凹曲線となる連結面１２８を有する。なお、図１２は、図９において、軸心Ｏと直交したＥ−Ｅ線での断面図である。Ｅ−Ｅ線は、指掛け部１２６の頂部（すなわち、軸心Ｏから最長で離間している部位）よりも基端側に寄った位置に位置する。また、図１０中、点線で示す外形は、図１２の実線で示す外形形状と一致させている。
【００３３】
図１１及び図１３に示すように、第２領域Ｐ２の連結面１２８及び指掛け部１２６を含む周面は、軸心Ｏを含むように軸心方向に沿った断面の形状では第３領域Ｐ３側が膨らむようにＳ字状をなしていて、第１領域Ｐ１及び第３領域Ｐ３の各周面とは無段差で接続されている。
【００３４】
また、図１０、図１２に示すように、第２領域Ｐ２の連結面１２８及び第２領域Ｐ２の指掛け部１２６を含む周面は、軸心Ｏと直交する断面の形状では、複数の周期で凹曲線と凸曲線を交互に有している。本実施形態では、複数の周期は、４周期である。
【００３５】
図１２の実線で示す図９のＥ−Ｅ線断面図は、第２領域Ｐ２において断面視したものであり、指掛け部１２６を形成する部位は凸曲線で示され、連結面１２８の部分は凹曲線で示されている。また、図１２の点線は、第１領域Ｐ１の円筒部１２０の外形を表わしている。図１１及び図１２に示すように、第３領域Ｐ３の連結面１２８及び指掛け部１２６を含む周面は、軸心Ｏを含むように軸心方向に沿った断面の形状では放物線状をなしていて、軸心方向の先端側に行くほどその径が０に向かって収束するようにしている。本実施形態では、軸心方向の先端側に行くほどその径が０に向かって収束するようにしているが、０に収束することに限定するものではなく、軸心方向の先端側に行くほどその径が小さくなっていればよい。
【００３６】
また、第３領域Ｐ３の連結面１２８及び指掛け部１２６を含む周面は、軸心Ｏと直交する断面の形状では、前記複数の周期と同一周期で凹曲線と凸曲線を交互に有する部位を含むようにしている。上記のようにして、第２領域Ｐ２及び第３領域Ｐ３の凸曲線を有する周面で前記指掛け部１２６が形成されている。図８に示すように取付孔１２２には、操作軸１２９が螺合される。操作軸１２９は、例えば、図示しない機台から突出した雄ネジ部材であって、先端の周部には取付孔１２２に螺合する図示しない雄ネジが刻設されている。操作用ノブ１１０は、操作軸１２９に対して螺入することにより、操作軸１２９に貫通されるとともに操作用ノブ１１０と前記機台との間に介在した図示しない対象物を締付けることが可能である。
【００３７】
（実施形態の作用）
上記のように構成された操作用ノブ１１０では、相互に隣接する指掛け部１２６間は、軸心Ｏと直交する断面の形状が凹曲線となる連結面１２８を介して連結されており、連結面１２８は、さらに、無段差で連結された断面円形の周面を有する円筒部１２０に連結されている。このため、操作用ノブ１１０を洗浄する際に、洗浄液は溜まることなく連結面１２８を介して無段差で連結された円筒部１２０の断面円形の周面上をスムーズに流れるため、好適にそれらの表面を洗浄することができる。
【００３８】
また、指掛け部１２６の基端側も、無段差で連結された断面円形の周面を有する円筒部１２０に連結されている。
このため、操作用ノブ１１０を洗浄する際に、洗浄液は溜まることなく、凸曲面を全体に有している指掛け部１２６を介して無段差で連結された円筒部１２０の断面円形の周面上をスムーズに流れるため、好適にそれらの表面を洗浄することができる。
【００３９】
また、拭き取りを行う場合にも、凸曲面を全体に有している指掛け部１２６の基端側を介して、及び連結面１２８を介して無段差で連結された円筒部１２０の断面円形の周面上をスムーズに拭き取ることができ、好適にそれらの表面の清掃を行うことができる。
【００４０】
また、相互に隣接するコブ状の指掛け部１２６間に指を入れることにより厚めの手袋を着用しても、操作時に力が加えやすく、操作が行いやすい効果がある。
また、相互に隣接するコブ状の指掛け部間に指を入れることにより手袋の厚みにかかわらず手袋を着用しても操作が行いやすい効果がある。
【００４１】
本実施形態では、下記の特徴を有する。
（１）本実施形態の操作用ノブ１１０においても、第１実施形態と同様に衛生管理のための清掃作業を行いやすい効果がある。すなわち、洗浄液は溜まることなく、連結面１２８を介して無段差で連結された円筒部１２０の断面円形の周面上をスムーズに流れるため、好適にそれらの表面を洗浄することができる。また、洗浄液は溜まることなく指掛け部１２６を介して無段差で連結された円筒部１２０の断面円形の周面上をスムーズに流れるため、好適にそれらの表面を洗浄することができる。すなわち、指掛け部１２６の裏面（すなわち、作業者側に向く面とは反対側の面）には、雑菌や異物がたまりやすい部位がないため、裏面側をきれいに洗浄することができる。
【００４２】
また、拭き取りを行う場合にも、凸曲面を全体に有している指掛け部１２６の基端側を介して、及び連結面１２８を介して無段差で連結された円筒部１２０の断面円形の周面上をスムーズに拭き取ることができ、好適にそれらの表面の清掃を行うことができる。
【００４３】
また、相互に隣接するコブ状の指掛け部間に指を入れることにより手袋の厚みにかかわらず手袋を着用しても操作が行いやすい効果がある。
また、指掛け部の裏面側の向きが上、下、横、斜め等のいずれの向きであっても、雑菌や異物或いは洗浄後の洗浄液が、溜まることはない。
【００４４】
なお、本考案の実施形態は前記実施形態に限定されるものではなく、下記のように変更しても良い。
・前記実施形態では、連結面２８、１２８は、軸心Ｏを含むように軸心方向に沿った断面の形状では第３領域Ｐ３側が膨らむようにＳ字状をなして第１領域Ｐ１及び第３領域Ｐ３の各周面とは無段差で接続されているが、連結面２８、１２８は、軸心Ｏを含むように軸心方向に沿った断面の形状では第３領域Ｐ３側を膨らませない形状としてもよい。
【００４５】
・前記実施形態では、取付孔２２、１２２を雌ネジ孔としたが、取付孔２２、１２２を、内周面に雌ネジがない断面円形のリーマ孔としてもよい。この場合は、操作軸を前記リーマ孔に圧入して嵌合して取付け固定してもよい。或いは、円筒部２０、１２０等に雌ネジを有する横穴を取付孔と直交するように形成し、リーマ孔に挿入した操作軸の取付部を前記横穴に螺入したネジ部材で締付固定してもよい。
【００４６】
・また、円筒部２０、１２０等に雌ネジを有していない貫通孔を径方向に延びるように形成するとともに操作軸に前記貫通孔と同軸の横孔を形成してもよい。そして、前記貫通孔と横孔に、割りピンを挿通したり、或いはピンを圧入または螺入して、操作軸を相対回動不能に取付孔２２、１２２に固定してもよい。
【００４７】
・前記実施形態では、操作用ノブは、金属製としたが、合成樹脂製であってもよく、また、取付孔を有する金属部材を合成樹脂でインサート成形してもよい。
【符号の説明】
【００４８】
１０…操作用ノブ、２０…円筒部、２１…基端面、２２…取付孔、
２４…握り部、２６…指掛け部、２８…連結面、２９…操作軸、
１１０…操作用ノブ、１２０…円筒部、１２１…基端面、１２２…取付孔、
１２４…握り部、１２６…指掛け部、１２８…連結面、１２９…操作軸、
Ｐ１…第１領域、Ｐ２…第２領域、Ｐ３…第３領域、Ｒ１…第１領域の半径。
【図１】
0003211103.tif 000003
【図２】
0003211103.tif 000004
【図３】
0003211103.tif 000005
【図４】
0003211103.tif 000006
【図５】
0003211103.tif 000007
【図６】
0003211103.tif 000008
【図７】
0003211103.tif 000009
【図８】
0003211103.tif 000010
【図９】
0003211103.tif 000011
【図１０】
0003211103.tif 000012
【図１１】
0003211103.tif 000013
【図１２】
0003211103.tif 000014
【図１３】
0003211103.tif 000015